(57)【要約】      （修正有）【課題】映像制作において膨大な映像素材内の編集に必要な任意の場所をより正確な時刻を指定して容易にキューアップが行えることができる装置を提供する。【解決手段】イベントやスポーツ等において、事象が発生した時にメモやスコアブックに記述し始める時刻をその記述位置とともに記録保存し、その時刻を素材映像の時刻サーチするタイムコードとして利用することで正確で容易にキューアップし、編集することで効果的な映像制作が効率的に可能となる。【選択図】図１
2017069892.tif 000002
【特許請求の範囲】
【請求項１】
テレビジョン放送番組の制作編集において用いられる膨大な録画素材への時刻サーチ機能において、編集に必要な場所の時刻をその事象が起こった際に記述したメモやスコアブック等に自動的に記録された記述し始めた時刻を利用することで、容易に素材をサーチしてキューアップすることが可能となる装置である。
【請求項２】
請求項１において、膨大な記述場所から事前に特別にマークした場所のみをサーチできる機能を有する装置である。
【請求項３】
請求項１において、入力部と表示・操作部をネットワーク経由で遠隔に操作できる装置である。
【請求項４】
請求項１において、実際に起こった時刻ではなく素材が有する時刻データに同期することで、素材を再生しながら同様の操作ができる装置である。
【請求項５】
請求項１おいて、本装置の仕組みとデータを素材とともに保存することで、保存された過去の素材に対し任意の場所を検索する際におおきな効率改善が見込める装置である。
【請求項６】
請求項１、請求項２、請求項３において、テレビジョン放送のみならず、例えば新聞等の原稿おこしや記事作成にも対応する装置である。
【発明の詳細な説明】
【技術分野】
【０００１】
本発明は、テレビジョン放送番組制作において用いられる映像素材のキューアップ時刻を自動的に記録して、映像素材のなかから編集に必要な場所を記録された時刻を利用して瞬時にキューアップすることで映像編集の効率化を可能にする技術に関する。
【背景技術】
【０００２】
汎用コンピュータあるいはタブレット端末を用いて、タッチペンやキーボード入力で事象を記述して保存する技術は確立されており広く普及している。
【０００３】
イベントやスポーツ等のテレビジョン放送番組は、素材映像を連続的に録画して、順次にまたはあとから任意の場所を切り出して編集することで、限られた放送枠内でより効果的なコンテンツを放送することができる。コンテンツに必要な任意の場所を素早くサーチすることが映像編集をより効率的で効果的なテレビジョン番組制作の要点となっている。
【先行技術文献】
【非特許文献】
【０００４】
米国映画テレビ技術者協会  ＳＭＰＴＥ  Ｂ−１２  タイムコードに関する標準規格
【発明の概要】
【発明が解決しようとする課題】
【０００５】
現状、テレビジョン放送のイベントやスポーツ等のハイライト編集は、番組編集担当者が膨大な映像素材の中から編集に必要な任意の場所を大よその時刻から検索して、本来のシーンかを確認しながら編集するため必ずしも効率的ではない。
【０００６】
イベントやスポーツ等のハイライト放送は、その展開を的確かつ感動的に伝えるために、メモやスコアブック等を記述して保存して、編集時に記録されたメモやスコアブック等を手掛かりに編集するが、編集に必要な場所がメモやスコアブック等に関連付けて、かつ正確にサーチできることが望ましく、効率的に効果的なコンテンツ制作が期待できる。
【課題を解決するための手段】
【０００７】
イベントやスポーツ等で事象が起こった際に、タッチパネルに手書きまたはテキスト入力でメモやスコアブックを記述し始めた時刻を記述した位置とともに自動的に記録して保存する機能を実現する。また、あらかじめ編集に使用される可能性が大きい重要な位置にマークすることで、膨大な記述位置から重要な位置を簡単にサーチできる。これにより、記述した位置の時刻が容易にわかるため、ハイライト編集に必要な映像素材の任意の場所を簡単にかつ正確にサーチすることができ、効果的なコンテンツを効率的に編集可能となる。
【０００８】
記録された時刻をタイムコードに変換して、素材を録画した装置または映像編集装置に送ることでその記述した位置の映像を瞬時にキューアップする機能を実現する。
【発明の効果】
【０００９】
本発明では、従来行っていたメモやスコアブックの記述作業を行うだけで、同時にその記述位置と記述し始めた時刻を自動的に保存できるため、記録された時刻を編集の際に素材サーチに利用することで映像完成パッケージを容易かつ正確に素早く編集することが可能となる。
【００１０】
本来必要なサーチ場所は事象を書き始めた時刻の少し前になるため、時刻補正する機能を有することでより正確な場所にサーチ可能となる。
また、膨大な事象の中から編集に使う可能性の高い事象にマークやメモを付加し、マークのみでサーチが可能とすることで、より効率的で効果的な番組制作に寄与する。
【図面の簡単な説明】
【００１１】
【図１】図１は本発明を実現する映像素材のキューアップ時刻自動記録装置の構成図である。
【実施例】
【００１２】
イベントやスポーツ等のコンテンツ制作はその展開を集約したハイライトとなるため、事象が起こるごとにメモやスコアブックを記述し、その内容をもとに編集して制作される。
従来行っているメモやスコアブックに各事象の結果を記述し始める時刻をタイムスタンプとして記述位置とともに自動的に記録し、記録されたタイムスタンプを編集時の画面キューアップに使用することで、正確でかつ容易に素早くハイライトシーンを使った編集が可能となる。
本来、キューアップしたい場所は事象が始まった時刻のため、サーチする際に少し前の時刻をサーチできるオフセット機能を実現することで、より効果的な場所へキューアップできる。
また、記入する際に編集に使用する可能性が高いシーンには、“メモ”や“マーク”を同時に記録することができる機能を搭載し、編集時にマークのみサーチ可能な機能とメモを表示する機能を実現することで、膨大な記述欄の中から容易にハイライトシーンのみをキューアップすることができる。
さらに、記入する入力画面と閲覧、キューアップする表示画面とをネットワークを介して遠隔でデータを共有可能とすることで、例えば現場で記入したメモやスコアブック、マーク、メモが、局舎内の編集室で閲覧中の表示画面に自動的に更新して表示でき、編集担当者はイベントやスポーツ等の終了を待たずに編集が開始でき、即時性が重要な番組編集へ大きく貢献できる。
対応する時刻を実時刻ではなく、すでに記録された映像データの時刻に同期することで、映像を収録後に再生しながら同様の作業が可能なため、素材を改めて確認する際や過去の素材にも対応可能となる。
この保存されたデータと仕組みをライブラリ機能に組み入れることで、過去の素材の任意の場所を容易に特定でき、素材の再利用時に大幅な効率改善が見込まれる。
従来紙ベースの記述を電子化する際、入力方法が複雑になりがちで導入が難しいものだが、本装置は、タッチパネルに手書き入力を採用することで、新たな操作方法を覚える必要がなく操作が簡単であり、特に野球のスコアブックではその威力を発揮できる。
図１に映像素材のキューアップ時刻自動記録置の構成図を示す。
【符号の説明】
【００１３】
０１        本装置のアプリケーション・プログラム入力部
０２        汎用コンピュータの入力部
０３        映像編集装置である編集アプリケーション・プログラム
０４        本ソフトで生成される時刻、場所、マーク、メモを含むファイル
０５        本装置のアプリケーション・プログラム表示・閲覧・操作部
０６        汎用コンピュータの入力部
０７        汎用コンピュータの表示部
０８        映像記録再生装置
０９        映像編集装置である編集アプリケーション・プログラム
【図１】
2017069892.tif 000003